(57)【特許請求の範囲】
【請求項１】
カメラおよび第１凹部を有する第１の筐体と、
第２凹部を有する電池収納用の第２の筐体と、
前記第２の筐体に取付けられ、かつ、前記第１凹部と前記第２凹部とに跨って移行可能な蓋体と、
前記蓋体に装着されるガイド板と、
前記第２凹部の両側面に設けられるガイド溝と、
前記ガイド板と前記第２凹部とに係合されるコイルばねとを備えるカメラ付き携帯電話機器であって、
前記第１凹部で前記カメラのレンズ部分が露出し、
前記蓋体が前記第１凹部側に移行したときに、前記カメラの前記レンズ部分が前記蓋体で覆われ、
前記第２の筐体と前記蓋体とが、前記第１の筐体から着脱自在であり、
前記ガイド板が前記コイルばねの弾性力を用いて前記ガイド溝に沿って摺動することにより、前記蓋体は前記第１凹部と前記第２凹部とに跨って移行する、カメラ付き携帯電話機器。
【請求項２】
前記ガイド板は両側にガイド用突堤部を有し、前記ガイド用突堤部は前記ガイド溝に摺動自在に挿入されている、請求項１に記載のカメラ付き携帯電話機器。
【請求項３】
前記ガイド板は前記ガイド板の中央部に透孔を有し、前記透孔に前記コイルばねが配置される、請求項１または２に記載のカメラ付き携帯電話機器。
【請求項４】
前記第２の筐体は前記第２凹部に前記ガイド板を係止するための突堤部を有する、請求項１から３のいずれかに記載のカメラ付き携帯電話機器。
【請求項５】
前記カメラに近接する位置に発光体を有し、
前記蓋体が前記第１凹部側に移行したときに、前記発光体が前記蓋体で覆われ、
前記第１の凹部を構成する底面板の前記カメラに対向する位置に前記発光体からの光を遮光する筒状の突堤を有する、請求項１から４のいずれかに記載のカメラ付き携帯電話機器。
【請求項６】
前記第１の凹部の底面部を透明材料よりなる平板で形成し、
前記平板に対向する位置に前記カメラを取付け、
前記平板の前記カメラに近接する位置に、背面に反射率のよい材料よりなる反射層を形成した球面を形成し、
この球面によって前記カメラで撮影される被写体を映し出す鏡を構成する、請求項１から５のいずれかに記載のカメラ付き携帯電話機器。
【発明の詳細な説明】
【０００１】
【発明の属する技術分野】
本発明は、カメラを有し、このカメラの前面を非使用時に蓋体で覆うことが可能なカメラ付き携帯電話機器に関する。
【０００２】
【従来の技術】
一般に、カメラ付きの携帯電話機は公知であるが、これらのものは、いずれも、筐体の背面にカメラの前面が露出するようにカメラを取付け、筐体の背面に設けた鏡、あるいは、正面に設けた液晶表示器などで、撮影しようとする映像を見ながら撮影できるように構成したものである。
従って、これらのものでも、希望する被写体を鏡、あるいは、液晶表示器などに映し出して正確に撮影することができ、必要に応じて無線電話回線を通して希望する相手に容易に伝送することができる。
【０００３】
【発明が解決しようとする課題】
しかしながら、これらのカメラ付き携帯電話機では、カメラが常時露出しており、また、携帯電話機自体も多機能化されているため、他人から見ると、メールやゲームを楽しんでいるのか、カメラで何かを撮影しているのか、容易に判別できない。従って、近くにいる者にとっては、知らない間に自分が撮影されているのではないかという危惧を常に感じることになり、プライバシー保護の面で非常に大きな問題があった。
【０００４】
そこで、本発明は、このような問題を解決するものであり、簡単な構成で、カメラの使用状態を容易に判別できるカメラ付き携帯電話機器を提供することを目的とするものである。
【０００５】
【課題を解決するための手段】
本発明のカメラ付き携帯電話機器は、カメラおよび第１凹部を有する第１の筐体と、第２凹部を有し、かつ、前記第１の筐体から着脱自在である電池収納用の第２の筐体と、前記第２の筐体に取付けられ、かつ、前記第１凹部と前記第２凹部とに跨って移行可能な蓋体とを備えるカメラ付き携帯電話機器であって、前記第１凹部で前記カメラのレンズ部分が露出し、前記蓋体が前記第１凹部側に移行したときに、前記カメラの前記レンズ部分が前記蓋体で覆われるように構成した。
【０００６】
この構成により、蓋体を第２の筐体に取付け、その後、第２の筐体を第１の筐体に装着することが可能となり、その組立が容易であると共に、蓋体を第１の凹部側に移行させたとき、カメラの前面が蓋体で覆われる。このため、カメラの非使用時にはカメラの前面が蓋体で保護され、カメラの使用状態も蓋体の摺動状態で第三者でも容易に判別でき、プライバシー保護の面でも充分その役割を果たすことができる。
【０００７】
また、本発明のカメラ付き携帯電話機器は、前記カメラに近接する位置に発光体を有し、前記蓋体が前記第１凹部側に移行したときに、前記発光体が前記蓋体で覆われるように構成した。
この構成により、第２の筐体が電池収納用の筐体を兼用することになり、別個に第２の筐体を設けることなく、カメラの前面を開閉する蓋体を容易に取付けることができ、全体として小型化が可能である。
【０００８】
また、本発明のカメラ付き携帯電話機器は、前記蓋体に装着されるガイド板と、前記第２凹部に設けられるガイド溝とをさらに有し、前記ガイド板が前記ガイド溝に沿って摺動することによって、前記蓋体は前記第１凹部と前記第２凹部とに跨って移行するように構成した。
この構成により、まず、ガイド板を第２の凹部に形成したガイド溝に摺動自在に取付け、その後、ガイド板に蓋体を取付けることが可能になり、蓋体の取付けが容易になると共に、蓋体そのものがガイド溝に挿入されないため、蓋体の両側部が傷つくこともなく、常に奇麗な状態を保持することができる。
【０００９】
また、本発明のカメラ付き携帯電話機器は、前記ガイド板と前記第２の凹部とに係合されるコイルばねをさらに有し、前記ガイド板は、前記コイルばねの弾性力を用いて、前記ガイド溝に沿って摺動するように構成した。
この構成により、蓋体がコイルばねの働きによって節度をもって第１の凹部側、第２の凹部側にそれぞれ確実に摺動することになり、その動作が安定する。
【００１０】
また、本発明のカメラ付き携帯電話機器は、前記ガイド板は前記ガイド板の中央部に透孔を有し、前記透孔に前記コイルばねが配置されるように構成した。
この構成により、コイルばねを有するにも関わらず、それが透孔の中に配置されているため、全体として肉薄にすることができ、しかも、ガイド板を第２の凹部側に摺動自在に装着した状態で容易に取付けることができる。
【００１１】
また、本発明のカメラ付き携帯電話機器は、前記カメラに近接する位置に、被写体を映し出す鏡を有し、前記蓋体が前記第１凹部側に移行したときに、前記カメラと共に前記鏡が前記蓋体で覆われるように構成した。
この構成により、蓋体を第２の凹部側に移行させ、カメラを使用可能な状態にすれば、この状態で鏡も露出することになり、カメラで撮影する被写体を鏡で正確に写し出すことができるようになる。そして、蓋体を第１の凹部側に移行させた場合には、カメラと共に鏡も一緒に蓋体で覆われることになり、鏡に塵や埃が付着するのを容易に防止することができる。
【００１２】
また、本発明のカメラ付き携帯電話機器は、前記カメラに近接する位置に発光体を有し、前記蓋体が前記第１凹部側に移行したときに、前記蓋体の前記発光体に対向する位置に前記発光体からの光を外部に導く透光部を形成した構成とした。
この構成により、蓋体を第１の凹部側に移行させた状態でも、発光体からの光が発光すれば、それを透光部を通して容易に確認することができる。
【００１３】
また、本発明のカメラ付き携帯電話機器は、発光体を着信時に発光するように構成した。
この構成により、蓋体を第１の凹部側に移行させた状態でも、発光体の発光によって着信を容易に確認することができる。
【００１４】
また、本発明のカメラ付き携帯電話機器は、発光体を蓋体が第２の凹部側に移行されたカメラ撮影の状態において発光するように構成した。
この構成により、蓋体を第２の凹部側に移行させたカメラ撮影の状態において発光体が発光し、暗いところでも容易にカメラ撮影することができる。
【００１５】
また、本発明のカメラ付き携帯電話機は、発光体の光を外部に導く部分を乳白色になるように構成した。
この構成により、発光体からの光を乳白色部分で拡散し、外部に導くことができ、斜め横からも発光体の発光を見ることができ、見栄えも良くすることができる。
【００１６】
また、本発明のカメラ付き携帯電話機器は、前記第１の凹部を構成する底面板の前記カメラに対向する位置に前記発光体からの光を遮光する筒状の突堤を形成する構成した。
この構成により、透明材料よりなる平板を用いてカメラの前面を保護する保護板を構成し、平板の背面に形成した反射層で鏡を構成することができ、全体として、その構成が簡単であり、平板の表面は蓋体の摺動に支障がないように面一にすることも可能である。
【００１７】
また、本発明のカメラ付き携帯電話機器は、第１の凹部の底面部を透明材料よりなる平板で形成し、平板に対向する位置にカメラを取付け、平板のカメラに近接する位置に、背面に反射率のよい材料よりなる反射層を形成した球面を形成し、この球面をカメラで撮影される被写体を映し出す鏡とする構成とした。
この構成により、鏡を平板に一体に形成でき、その形成が容易であると共に、その鏡を通してカメラで撮影される被写体を正確に映し出すことができ、被写体を正確に撮影することができる。
【００１８】
また、本発明のカメラ付き携帯電話機器は、筐体に凹部を形成し、この凹部の一端部に対向する位置にそれぞれカメラ及び発光体を取付け、凹部に凹部の一端から他端に摺動可能な蓋体を取付け、蓋体を凹部の一端側に摺動させたとき、カメラの前面が蓋体で覆われ、発光体が蓋体に形成した透光部に対向するように構成した。
この構成により、蓋体の摺動状態でカメラの使用状態を容易に確認することができ、第三者に対するプライバシーの保護を確保することができ、着信があった場合には、蓋体に形成した透光部を通して発光体からの光を容易に確認することができる。
【００１９】
また、本発明のカメラ付き携帯電話機器は、カメラに近接する位置にカメラで撮影される被写体を映し出す鏡を配置し、蓋体を凹部の一端側に摺動させたとき、鏡をカメラ及び発光体と共に蓋体で覆われる構成とした。
この構成により、蓋体を凹部の他端側に摺動させたとき、鏡がカメラと共に露出することになり、カメラで撮影される被写体が鏡で正確に映し出されることになり、正確な撮影が可能になり、また、蓋体を凹部の一端側に摺動させた場合には、カメラ及び鏡、発光体が共に蓋体によって覆われることになり、これらに塵や埃が付着するのを効果的に阻止することができる。
【００２０】
また、本発明のカメラ付き携帯電話機器は、筐体に摺動可能な蓋体を取付け、蓋体を一方に摺動したとき蓋体で覆われ、他方に摺動したとき開放される筐体の一部に対向する位置にそれぞれカメラ及びカメラによって撮影される被写体を映し出す鏡並びに着信時に発光する発光体を配置し、蓋体を一方に摺動したとき、カメラ及び鏡、発光体がそれぞれ共に蓋体で覆われ、発光体が蓋体に形成した透光部に対向するように構成した。
この構成により、カメラの非使用時には、カメラ及び鏡、発光体を共に蓋体によって保護することができ、しかも、その状態で着信があった場合は、蓋体に形成した透光部を通して着信時に発光する発光体からの光を容易に確認することができ、カメラの使用時には、鏡も同時に露出し、カメラで撮影する被写体を鏡に映し出して正確に撮影することができる。
【００２１】
【発明の実施の形態】
以下、本発明の実施の形態について添付図面を用いて説明する。
図１は、本発明の一実施の形態におけるカメラ付き携帯電話機の分解斜視図、図２は、同携帯電話機のＡ−Ａ断側面図、図３は、同携帯電話機の蓋体を閉じた状態の背面図、図４は同携帯電話機の蓋体を開いた状態の背面図、図５、図６は、同携帯電話機の動作を説明する背面図である。
【００２２】
図１において、本発明の一実施の形態におけるカメラ付き携帯電話機は、大略構成として、第１の筐体１と、この第１の筐体１の背面側に着脱自在に装着される第２の筐体２と、これら第１の筐体１及び第２の筐体２で形成される第１の凹部３及び第２の凹部４と、この第２の凹部４に摺動可能に取付いたガイド板２３と、このガイド板２３に一体に固定される蓋体３２とを備えている。
【００２３】
第１の筐体１には、図１に示すようにアンテナ４０が取付けられており、図示していないが、内部に無線回路、通話回路、その他の回路を構成する各種回路基板、各種電気部品が内装されている。
そして、筐体１の正面側には、キーボード、液晶表示器等が実装され、送話用、受話用のそれぞれの音孔が形成されている。更に、筐体１の背面側には、背面から側面に至る比較的大きな切欠１ａが形成され、この切欠１ａに第２の筐体２が着脱自在に装着されている。
【００２４】
そして、第２の筐体２には、図示していないが、内面に偏平な充電電池が一体に装着されており、第２の筐体は、いわゆる、電池収納用の筐体を構成している。
【００２５】
第１、第２の筐体１、２のそれぞれの背面には、両者に跨って一体となる第１、第２の凹部３、４が形成され、第１の凹部３にはアクリル等の透明材料よりなる平板５が取付けられている。
【００２６】
すなわち、第１の凹部３は、図２に示すように、第１の凹部３の中央部に、更に窪んだ凹部３ａを有し、この凹部３ａの底面に両面接着テープ６等を用いて前記透明材料よりなる平板５を接着することにより、前記第１の凹部３の表面が前記平板５と共に面一になるように構成されている。
【００２７】
そして、図２に示すように、第１の凹部３の底部を構成する底面板３ｂには、後述するカメラ７及び発光体８にそれぞれ対向する透孔９、１０が形成されており、カメラ７に対向する透孔９の周囲には、発光体８からの光を遮光するために、表面側に突出する円筒状の突堤１１が一体に形成されている。また、第１の凹部３の底部を構成する底面板３ｂの内側で、カメラ７と発光体８との間に位置する部分には、図示していないが、別に設けられるシールド板の位置決めを行うための突堤１２が一体に形成されている。
なお、底面板３ｂの内側に一体に形成した突リブ１５は、先に説明した突堤１２と共に、先に説明したシールド板の位置決めを行うためのものである。
【００２８】
透明材料よりなる平板５には、図２において、カメラ７に対向する部分に透孔１６が形成され、この透孔１６が円筒状の突堤１１に嵌合され、前記平板５の背面が両面接着テープ６等で凹部３の底面部３ｂに接着されている。そして、底面部３ｂの円筒状の突堤１１で囲まれた部分には、内面外周部にのみ遮光層１８を形成した歪みの少ない、例えば、アクリル製で両面を切削、研磨した透明板１７が両面接着テープ６等で接着固定されている。また、平板５のカメラ７に近接する位置（円筒状突堤１１の外側）には、中央部が窪むように球面が形成され、この球面の内側に反射率のよいアルミニウム等の金属を蒸着して反射層１９が形成されている。すなわち、この反射層１９によってカメラ７で撮影される被写体を映し出す鏡を構成している。
一方、平板５の発光体８に対向する部分には、表面に窪み２０を形成し、内面に乳白色の半透明層２１を形成することによって、発光体８からの光が、より拡散されて見やすくなるようにしている。
【００２９】
次に、図１において、第２の凹部４には、その両側面にそれぞれガイド溝２２が形成され、このガイド溝２２にはガイド板２３の両側部に形成したガイド用突堤部２４が摺動自在に挿入されている。
【００３０】
また、第２の凹部４には、ガイド板２３の挿入方向にテーパ２９を有しガイド板２３の挿入を容易にする突堤３０と、ガイド板２３を挿入した状態でそのガイド板２３の抜けを防止する係止用の突堤３１とがそれぞれ第２の凹部４と一体に形成されている。
【００３１】
ガイド板２３には、図１に示すように、中央部に透孔２５が形成され、この透孔２５にはコイルばね２６が配置されている。そして、コイルばね２６の両端部は、コイルばね２６を互いに圧縮した状態で、第２の凹部４及びガイド板２３にそれぞれ形成した係合部２７、２８に係合されており、ガイド板２３は、このコイルばね２６の弾性力によって第１の凹部３側、第２の凹部４側にそれぞれ節度をもって摺動するように構成されている。
また、ガイド板２３には、蓋体３２が嵌合固定され、必要に応じて両者は両面接着テープ等で接着固定されている。そして、ガイド板２３と蓋体３２をそれぞれ第１の凹部３側に摺動、移行させたとき、そのガイド板２３と蓋体３２の発光体８に対向するそれぞれの位置には、それぞれ発光体８からの光を外部に放出する透孔３３、３４が形成され、一方の透孔３４には保護用の透明板３５が装着されている。
尚、ガイド板２３には、コイルばね２６を挿入する透孔２５に近接して磁石３６を装着するための切欠３７が形成されている。そして、この切欠３７に装着された磁石３６（図６参照）と筐体１、２内に設けられたホール素子、電磁接点などで蓋体３２を第１、第２の凹部３、４側に移行したとき、それぞれ第１、第２の動作を実行するスイッチが構成されている。
【００３２】
蓋体３２は、図３、図４に示すように、その幅が第１、第２の凹部３、４にほぼ合致し、長さがそれぞれ第１、第２の凹部３、４側に移行したときそれぞれ第１の凹部３側を覆ったり、開放したりする大きさに形成されている。
そして、蓋体３２は、ガイド板２３に装着されており、ガイド板２３と一体に移行するように構成されているため、ガイド板２３がガイド溝２２に沿って摺動することにより、蓋体３２もガイド溝２３に沿って同様に移行し、図３、図４に示すように、第１の凹部３側、第２の凹部４側にそれぞれ確実に節度をもって移行することができる。
【００３３】
カメラ７及び発光体８は、図２に示すように、第１の凹部３に対向して第１の筐体１内に実装されたプリント基板１３の透孔９、１０に対向する部分にそれぞれ取付けられている。
すなわち、カメラ７は、レンズ部分７ａとＣＣＤモジュール部分７ｂとで構成されており、レンズ部分７ａが透孔９に対向するように、ＣＣＤモジュール部分７ｂがプリント基板１３に取付けられたＣＣＤソケット７ｃに着脱自在に取付けられている。そして、透孔９の外周に位置する底面板３ｂの内側には筒形のクッション部材１４が装着され、このクッション部材１４がカメラ７のレンズ部分７ａを囲むようにカメラ７のＣＣＤモジュール部分７ｂと底面板３ｂとの間に介在されている。したがって、このクッション部材１４は、カメラ７に加わる衝撃を緩衝する働きと、カメラ７に塵や埃が侵入するのを阻止する防塵部材の働きを兼ね備えている。
【００３４】
そして、カメラ７は、先に説明したスイッチの動作を基に、蓋体３２を第２の凹部４側に移行したとき、動作可能なように構成されており、この状態で、更に発光体７が、例えば、連続発光するように構成されている。したがって、この連続発光された光によってカメラモードであることを第三者に知らしめることができ、また、暗い場所では、その光を用いて被写体を撮影することもできる。
尚、発光体８は、図示していないが、更に、カメラのシャッターを切ったとき、より明るく発光するように構成することも可能である。
【００３５】
また、本実施の形態では、蓋体３２が第１の凹部３側に移行しようと、第２の凹部４側に移行しようと、いずれの場合であっても、着信があれば、その着信に対して応答できるように構成され、発光体８は、これらの着信に応じて間欠的に発光するように構成されている。
【００３６】
次に、本実施の形態について、その動作を説明する。
すなわち、本実施の形態によれば、ガイド板２３と第２の凹部４との間にコイルばね２６を装着している。このため、蓋体３２にそれぞれ第１の凹部３側、第２の凹部４側に移行させる方向の力を加えれば、この力がガイド板２３及びコイルばね２６にも同様に加わり、コイルばね２６が一旦圧縮されデッドポイントを越えると再び伸長するように作用する。その結果、ガイド板２３及び蓋体３２がそれぞれ第１の凹部３側、第２の凹部側４に節度をもって正確に移行することになる。
【００３７】
図５、図６はこの移行状態を示したものであり、図５は、ガイド板２３及び蓋体３２が第１の凹部３側に移行した状態、図６は、ガイド板２３及び蓋体３２が第２の凹部４側に移行した状態を示している。いずれの状態でも、コイルばね２６は適度に圧縮された状態にあり、第１の凹部３側、第２の凹部４側にあるそれぞれのガイド板２３に、それぞれ第１の凹部３側、第２の凹部４側に移行する方向の弾性力を作用させている。
【００３８】
このように、本実施の形態によれば、蓋体３２を第１の凹部３側、あるいは、第２の凹部４側にそれぞれ移行し、第１の凹部３側に設けたカメラ７、発光体８などをそれぞれ覆ったり、開放したりすることができ、覆った場合には、これらを外部から保護することができ、開放した場合には、これらを有効に利用して必要な被写体を撮影することができ、カメラの使用状態が第三者でも容易に確認でき、プライバシーなどの問題が生じるのを極力少なくすることができる。
【００３９】
そして、本実施の形態によれば、蓋体３２を閉じたとき（図５の状態）蓋体３２の発光体８に対向する位置に透孔３４を形成し、この透孔３４を通して発光体８からの光を外部に放出できるように構成している。このため、発光体８が第１の凹部３に対向して設けられているにも関わらず、発光体８が発光した場合、発光体８からの光を蓋体３２に設けた透孔３４より容易に確認することができ、着信があった場合も、それを容易に確実に確認することができる。そして、この場合、発光体８からの光を乳白色の半透明層２１で拡散するようにしているため、横からでもよく見え、見栄えがよいという効果を有する。
【００４０】
また、本実施の形態によれば、図１に示すように、第２の筐体２に形成した第２の凹部４の両側部にガイド溝２２を設け、このガイド溝２２にガイド板２３を挿入して、ガイド板２３をガイド溝２２に沿って摺動自在に取付けるようにしている。従って、ガイド板２３の取付けに際しては、第１の筐体１、第１の凹部３に関係なく、第２の筐体２に形成した第２の凹部４に直接取付けることができ、その取付けが非常に簡単であるという作用を有する。すなわち、本実施の形態によれば、ガイド溝２２を第２の筐体４の端部において開放された形のものとして形成している。従って、このガイド溝２２にガイド板２３を挿入する場合には、前記開放された端部から容易に挿入することができる。
また、このガイド板２３を挿入した後で、第２の筐体２を第１の筐体１に装着すれば、ガイド溝２２の開放された部分が第１の筐体１の端部（第２の筐体２に突き合わされる部分）で塞がれる。このため、前記ガイド溝２２の開放された部分から前記ガイド溝２２に挿入されたガイド板２３が抜け出るようなことは一切なく、逆に、第１の筐体１の端部（第２の筐体２に突き合わされる部分）をガイド板２２の第１の凹部３側への移行範囲を規制するストッパーとして動作させることができるという作用を有する。
【００４１】
また、本実施の形態によれば、第２の凹部４にガイド板２３の挿入方向にテーパ２９を有する突堤３０と、ガイド板２３を挿入した状態でそのガイド板２３の抜けを防止する係止用の突堤３１を形成している。このため、図７に示すように、ガイド板２３をガイド溝２２に挿入して矢印の方向に移行させた場合、
（１）ガイド板２３の突堤３０、３１に対向する部分が突堤３０のテーパ２９に沿って上方に押し上げられ、その状態で矢印の方向に移行されることになる。（２）その結果、図８に示すように、ガイド板２３の突堤３０、３１に対向する部分が突堤３０、３１を容易に越えることになる。
（３）そして、ガイド板２３の突堤３０、３１に対向する部分が突堤３０、３１を越えると、ガイド板２３の突堤３０、３１に対向する部分が元の状態に復帰するため、ガイド板２３に形成した透孔２５が突堤３０、３１及び係止部２７にそれぞれ嵌合されることになる。
（４）従って、この状態では、図８に示すように、ガイド板２３をガイド溝２２に沿って抜け出る方向に移行させても、それだけでは、ガイド板２３が突堤３１によって係止され、ガイド溝２２より抜け出ないようになっている。
【００４２】
このように、ガイド板２３は、突堤３０、３１の働きでガイド溝２２に容易に挿入でき、しかも、一旦挿入すると、自然には抜け出ないように構成されている。したがって、この状態で、図９に示すように、コイルばね２６の両端をそれぞれ第２の凹部４、ガイド板２３に形成した係合部２７、２８に係合させることにより、ガイド板２３を節度をもって第１の凹部３側、第２の凹部４側にそれぞれ摺動可能に容易に装着することができる。
なお、補修、その他で、ガイド板２３をガイド溝２２より抜き取りたい場合には、その前に、先ず、コイルばね２６を取り除き、その状態で、ドライバー、その他の器具を用いて、外部からガイド板２３の突堤３０、３１に対向する部分を上方に持ち上げ、ガイド板２３をガイド溝２２より抜き取る方向に移行させればよい。このようにすれば、ガイド板２３の突堤３０、３１に対向する部分と突堤３１との係止が解け、ガイド板２３をガイド溝２２より容易に抜き取ることができる。
【００４３】
また、本実施の形態によれば、図１に示すように、ガイド板２３に透孔２５を形成し、この透孔２５にコイルばね２６を挿入するように構成しているため、全体の厚さをガイド板２３の厚さだけ薄くすることができる。しかも、コイルばね２６の両端部は、それぞれ透孔２５を通して係止部２７、２８に係止させるようにしている。したがって、コイルばね２６を係止部２７、２８に係止させる場合でも、ガイド板２３をガイド溝２２に挿入した状態でコイルばね２６に適度な圧縮力を作用させ容易に係止させることができるという作用を有する。
【００４４】
また、本実施の形態によれば、図２に示すように、第１の凹部３に透明材料よりなる平板５を取付け、この平板５に対向する位置にそれぞれカメラ７及び発光体８を取付けている。また、この平板５には、カメラ７に隣接する位置に背面に反射率のよい材料よりなる反射層１９が形成された球面を形成し、この球面によってカメラ７で撮影される被写体を映し出すための鏡を構成している。このため、平板５の前面に手などを触れても反射層１９に傷等がつくこと恐れが全くなく、常に鏡として良好な状態を維持することができる。そして、カメラ７、発光体８に加えて、鏡も蓋体３２を第１の凹部３側に移行したとき、共に蓋体３２で覆うように構成しており、カメラ７を使用しない場合には、これらが共に蓋体３２で覆われるため、これらに塵や埃が付着するのを極力少なくすることができる。
【００４５】
また、本実施の形態によれば、図２に示すように、平板５に透孔１６を形成するとともに、この透孔１６を凹部３の底面板３ｂに形成した円筒状突堤１１に嵌合し、かつ、円筒状突堤１１に歪みの少ない透明板１７を取付けており、この透明板１７がカメラ７に対向するように構成している。したがって、カメラ７への入射光は、透明板１７を通して歪み少なく入射され、また、発光体８からの光は、平板５を通して横方向に拡散拡散されたとしても、透明板１７に対しては円筒状突堤１１で完全に遮光され、カメラ７の撮影に何ら影響しないという作用を有する。
【００４６】
以上、要するに、本実施の形態によれば、全体の構成を簡単に、しかも、蓋体の摺動によってカメラの使用状態を容易に確認でき、また、着信があった場合には蓋体の如何に関わらずそれを容易に確認でき、ユーザにとって使用し易い実用的な携帯電話機を提供することができる。
尚、本実施の形態では、筐体を第１、第２の筐体１、２で構成し、これらの筐体１、２に跨るように第１、第２の凹部３、４を形成し、第２の凹部４に蓋体３２を摺動可能に装着しているが、筐体は必ずしも第１、第２の筐体１、２で構成しなくても良く、また、凹部３、４もこれらに跨って形成しなくても良いことは言うまでもないことである。
【００４７】
また、本実施の形態では、第２の筐体２が電池収納用の筐体を兼ねているが、これは単なる筐体であっても良い。また、本実施の形態では、発光体８からの光を外部に放出するために、蓋体３２に透孔３４を形成しているが、この透孔３４は、必ずしも孔でなくても良く、要は、光を通す透光部であれば充分である。例えば、蓋体３２を透明材料で構成し、その表面又は裏面に適度に遮光膜を設け、残りの部分全体を透光部として、この透光部より発光体８からの光を外部に放出するように構成することも可能である。
【００４８】
【発明の効果】
以上説明したように、本発明によれば、筐体に摺動可能な蓋体を取付け、蓋体を一方に摺動したとき蓋体で覆われ、他方に摺動したとき開放される筐体の一部に対向する位置にそれぞれカメラ及びカメラによって撮影される被写体を映し出す鏡並びに着信時に発光する発光体を配置し、蓋体を一方に摺動したとき、カメラ及び鏡、発光体がそれぞれ共に蓋体で覆われ、発光体が蓋体に形成した透光部に対向するように構成したものであり、カメラの非使用時には、カメラ及び鏡、発光体を共に蓋体によって保護することができる。
【００４９】
しかも、本発明によれば、その状態で着信があった場合には、蓋体に形成した透光部を通して着信時に発光する発光体からの光を容易に確認することができ、カメラの使用時には、鏡も同時に露出し、カメラで撮影する被写体を鏡に映し出して正確に撮影することができるという効果を有する。
【図面の簡単な説明】
【図１】本発明の一実施の形態におけるカメラ付き携帯電話機を示す分解斜視図である。
【図２】本発明の一実施の形態におけるカメラ付き携帯電話機を示すものであって、図１のＡ−Ａ断側面図である。
【図３】本発明の一実施の形態におけるカメラ付き携帯電話機の蓋体を閉じた状態を示す背面図である。
【図４】本発明の一実施の形態におけるカメラ付き携帯電話機の蓋体を開いた状態を示す背面図である。
【図５】本発明の一実施の形態におけるカメラ付き携帯電話機の蓋体を閉じた状態で蓋体を省略した背面図である。
【図６】本発明の一実施の形態におけるカメラ付き携帯電話機の蓋体を開いた状態の蓋体を省略した背面図である。
【図７】本発明の一実施の形態におけるカメラ付き携帯電話機の要部の組立工程（第１工程）を説明する斜視図である。
【図８】本発明の一実施の形態におけるカメラ付き携帯電話機の要部の組立工程（第２工程）を説明する斜視図である。
【図９】本発明の一実施の形態におけるカメラ付き携帯電話機の要部の組立工程（第３工程）を説明する斜視図である。
【符号の説明】
１    第１の筐体
２    第２の筐体
３    第１の凹部
４    第２の凹部
５    平板
６    両面接着テープ
７    カメラ
７ａ  レンズ部分
７ｂ  ＣＣＤモジュール部分
７ｃ  ソケット
８    発光体
９    透孔
１０  透孔
１１  円筒状突堤
１２  遮光用突堤
１３  プリント基板
１４  クッション部材
１５  突リブ
１６  透孔
１７  透明版
１８  遮光層
１９  反射層
２０  窪み
２１  半透明層
２２  ガイド溝
２３  ガイド板
２４  ガイド用突堤部
２５  透孔
２６  コイルばね
２７  係合部
２８  係合部
２９  テーパ
３０  突堤
３１  係止用突堤
３２  蓋体
３３  透孔
３４  透孔
３５  保護用透明板
３６  磁石
３７  切欠
【図１】
0004130322.tif 000002
【図２】
0004130322.tif 000003
【図３】
0004130322.tif 000004
【図４】
0004130322.tif 000005
【図５】
0004130322.tif 000006
【図６】
0004130322.tif 000007
【図７】
0004130322.tif 000008
【図８】
0004130322.tif 000009
【図９】
0004130322.tif 000010